(57)【要約】【課題】異なる種類のプルダウン方式の各信号を処理する共通信号処理部の割合が大きく構成が簡単、高い検出能力、各種類の検出感度が同一となるものとする。【解決手段】信号共通処理部で、映像信号のフィールド差分情報を得、差分情報の絶対値から動画画素判定出力を得、動画画素判定出力の１フィールド分の累積値と閾値とを比較し、フィールド毎に動画・静画の識別をし、連続する複数フィールド分の動静パターンを得る。第１、第2のプルダウン検出部は、動静パターンを用い、それぞれ第１、第2の種類のプルダウン方式の判定出力を得る。【選択図】        図１
2005072863.tif 000002
【特許請求の範囲】
【請求項１】
フィールド周波数を持つ映像信号を用いて、この映像信号の映像ソースが変換処理された時のプルダウン方式を検出する映像信号の自動判別装置において、
前記映像信号が供給され、フィールド差分情報を得るフィールド差分情報取得部と、前記フィールド差分情報の絶対値を得る絶対値取得部と、前記絶対値から、動画画素を判定して動画画素判定出力する動画画素取得部と、前記動画画素判定出力を１フィールド分累積する累積加算部と、前記累積加算部からの累積値と閾値とを比較し、フィールド毎に動画か或は静画かの識別をした動静判定出力を得、連続する複数フィールド分の動静判定出力をパターン化してフィールド動静パターンを出力するパターン作成部とからなる信号共通処理部と、
前記フィールド動静パターンを用いて、第１の種類のプルダウン方式の判定出力を得る第１のプルダウン検出部と、
前記フィールド動静パターンを用いて、第２の種類のプルダウン方式の判定出力を得る第２のプルダウン検出部と、
を有することを特徴とするテレシネ方式検出及び判別装置。
【請求項２】
フィールド周波数を持つ映像信号を用いて、この映像信号の映像ソースが変換処理された時のプルダウン方式を検出する映像信号の自動判別装置において、
フィールド毎に動画かあるいは静画かの識別をした動静判定出力を、連続する複数フィールド分取得しフィールド動静パターンとして出力する信号共通処理部と、
前記フィールド動静パターンと第１の比較パターンとを比較し、その比較結果から第１の種類のプルダウン方式の判定出力を得る第１のプルダウン検出部と、
前記フィールド動静パターンと第２の比較パターンとを比較し、その比較結果から第２の種類のプルダウン方式の判定出力を得る第２のプルダウン検出部とを有し、
前記フィールド動静パターンと、このフィールド動静パターンが比較される前記第１及び第２の比較パターンの各データ長としては、同一であり、且つ第１の種類のプルダウン方式に対する動画判定・静画判定の出現パターンと、第２の種類のプルダウン方式に対する動画判定・静画判定の出現パターンとが対比された場合、排他的なパターンとなるデータ長を採用していることを特徴とするテレシネ方式検出及び判別装置。
【請求項３】
フィールド周波数を持つ映像信号を用いて、この映像信号の映像ソースが変換処理された時のプルダウン方式を検出する映像信号の自動判別装置において、
フィールド毎に動画かあるいは静画かの識別をした動静判定出力を、連続する複数フィールド分取得しフィールド動静パターンとして出力する信号共通処理部と、
位相を回転した複数の第１の比較パターンを有し、この複数の第１の比較パターンに対して前記フィールド動静パターンが並列に比較され、このフィールド動静パターンがいずれかの第１の比較パターンに一致したときに第１の種類のプルダウン方式の判定出力を得る第１のプルダウン検出部と、
位相を回転した複数の第２の比較パターンを有し、この複数の第２の比較パターンに対して前記フィールド動静パターンが並列に比較され、このフィールド動静パターンがいずれかの第２の比較パターンに一致したときに第２の種類のプルダウン方式の判定出力を得る第２のプルダウン検出部とを具備し、
第１の種類のプルダウン方式判定と第２の種類のプルダウン方式判定ともに単位時間当たりの比較回数を同一にしたことを特徴とするテレシネ方式検出及び判別装置。
【請求項４】
フィールド周波数を持つ映像信号を用いて、この映像信号の映像ソースが変換処理された時のプルダウン方式を検出する映像信号の自動判別装置において、
フィールド毎に動画かあるいは静画かの識別をした動静判定出力を、連続する複数フィールド分取得しフィールド動静パターンとして出力する信号共通処理部と、
前記フィールド動静パターンと、第１の種類のプルダウン方式の第１の比較パターンとを比較し、フィールド毎に１次判定出力を得、この１次判定出力に対する応答特性として導入ヒステリシスを持ち、現判定出力の保持状態を変化させる出力特性として保持ヒステリシスを持つ第１の種類のプルダウン方式検出部と、
前記フィールド動静パターンと、第２の種類のプルダウン方式の第２の比較パターンとを比較し、フィールド毎に１次判定出力を得、この１次判定出力に対する応答特性として導入ヒステリシスを持ち、現判定出力の保持状態を変化させる出力特性として保持ヒステリシスを持つ第２の種類のプルダウン方式検出部とを具備し、
前記第１の種類のプルダウン方式２次判定部と第２の種類のプルダウン方式２次判定部とのそれぞれにおける、前記導入ヒステリシスは、前記現判定出力と同じ入力に対しては現判定出力と異なる入力に対してよりも応答し易く、前記保持ヒステリシスは、前記現判定出力を現判定出力と異なる出力に切り換わるよりも現判定出力を保持し易く設定されていることを特徴とするテレシネ方式検出及び判別装置。
【請求項５】
フィールド周波数を持つ映像信号を用いて、この映像信号の映像ソースが変換処理された時のプルダウン方式を検出する映像信号の自動判別装置において、
前記映像信号が供給される、フィールド差分情報を得るフィールド差分情報取得部と、
前記フィールド差分情報の絶対値を得る絶対値取得部と、
前記絶対値から、動画画素を判定して動画画素判定出力を出力する動画画素取得部と、
前記動画画素判定出力を１フィールド分累積する動画画素累積加算部（１１０）と、
前記絶対値から、静画画素を判定して静画画素判定出力を出力する静画画素取得部と、
前記静画画素判定出力を１フィールド分累積する静画画素累積加算部と、
前記静画画素累積加算部の出力値が大きくなるにつれて、前記動画画素累積加算部からの出力の利得を大きくする利得可変手段と、
前記利得可変手段からの出力値と閾値とを比較し、フィールド毎の動静判定出力を得、複数フィールド分の動静判定出力をパターン化して出力するフィールド動静パターンを作成する作成部と、
前記フィールド動静パターンを用いて、第１の種類のプルダウン方式の判定出力を得る第１のプルダウン検出部と、
前記フィールド動静パターンを用いて、第２の種類のプルダウン方式の判定出力を得る第２のプルダウン検出部と、
を有することを特徴とするテレシネ方式検出及び判別装置。
【請求項６】
前記第１の種類は、２−３プルダウン方式であり、第２の種類は、２―２プルダウン方式である請求項１−５のいずれかに記載のテレシネ方式検出及び判別装置。
【請求項７】
前記フィールド毎に動画か或は静画かの識別をした前記動静判定出力は、前記フィールドが複数のブロックに分割されており、各フィールドの複数のブロックに対応して複数得られていることを請求項１−５のいずれかに記載のテレシネ方式検出及び判別装置。
【請求項８】
前記利得可変手段の出力部には、利得制御された値をモニタするためのモニタ端子が設けられていることを特徴とする請求項５記載のテレシネ方式検出及び判別装置。
【請求項９】
前記第１の種類のプルダウン方式の判定出力を得る第１のプルダウン検出部は、前記フィールド動静パターンが複数の第１の比較パターンのいずれに一致したかを示す識別情報を出力し、
前記第２の種類のプルダウン方式の判定出力を得る第２のプルダウン検出部も、前記フィールド動静パターンが複数の第２の比較パターンのいずれに一致したかを示す識別情報を出力することを特徴とする請求項３記載のテレシネ方式検出及び判別装置。
【請求項１０】
フィールド周波数を持つ映像信号を用いて、この映像信号の映像ソースが変換処理された時のプルダウン方式を検出する映像信号の自動判別方法において、
信号共通処理部では、フィールド毎に動画かあるいは静画かの識別をした動静判定出力を、連続する複数フィールド分取得しフィールド動静パターンとして出力し、
第１の種類のプルダウン方式検出部では、前記フィールド動静パターンと、第１の種類のプルダウン方式の第１の比較パターンとを比較し、フィールド毎に１次判定出力を得、この１次判定出力に対する応答特性として導入ヒステリシスを持ち、現判定出力の保持状態を変化させる出力特性として保持ヒステリシスを持ち、
第２の種類のプルダウン方式検出部では、前記フィールド動静パターンと、第２の種類のプルダウン方式の第２の比較パターンとを比較し、フィールド毎に１次判定出力を得、この１次判定出力に対する応答特性として導入ヒステリシスを持ち、現判定出力の保持状態を変化させる出力特性として保持ヒステリシスを持ち、
前記第１の種類のプルダウン方式２次判定部と第２の種類のプルダウン方式２次判定部とのそれぞれにおける、前記導入ヒステリシスは、前記現判定出力と同じ入力に対しては現判定出力と異なる入力に対してよりも応答し易く、前記保持ヒステリシスは、前記現判定出力を現判定出力と異なる出力に切り換わるよりも現判定出力を保持し易く設定されていることを特徴とするテレシネ方式検出及び判別方法。
【請求項１１】
信号共通処理部では、
前記映像信号からフィールド差分情報を得、前記フィールド差分情報の絶対値を得、前記絶対値から、動画画素を判定して動画画素判定出力を出力し、前記動画画素判定出力を１フィールド分累積し、
前記絶対値から、静画画素を判定して静画画素判定出力を出力し、前記静画画素判定出力を１フィールド分累積し、
前記静画画素の累積出力値が大きくなるにつれて、前記動画画素の累積出力値の出力の利得を大きくし、
前記利得制御された出力値と閾値とを比較し、フィールド毎の動静判定出力を得、複数フィールド分の動静判定出力をパターン化して出力する
ことを特徴とする請求項１０記載のテレシネ方式検出及び判別方法。
【請求項１２】
第１の種類のプルダウン方式の第１の比較パターンは、位相を回転した複数の第１の比較パターンであり、この複数の第１の比較パターンに対して前記フィールド動静パターンが並列に比較され、このフィールド動静パターンがいずれかの第１の比較パターンに一致したときに第１の種類のプルダウン方式の判定出力を得るもので、
第２の種類のプルダウン方式の第２の比較パターンは、位相を回転した複数の第２の比較パターンであり、この複数の第２の比較パターンに対して前記フィールド動静パターンが並列に比較され、このフィールド動静パターンがいずれかの第２の比較パターンに一致したときに第２の種類のプルダウン方式の判定出力を得るもので、
第１の種類のプルダウン方式判定と第２の種類のプルダウン方式判定ともに単位時間当たりの比較回数を同一にしたことを特徴とする請求項１０又は１１記載のテレシネ方式検出及び判別方法。
【発明の詳細な説明】
【技術分野】
【０００１】
この発明は、ビデオ信号が通常のビデオカメラで撮像されたものであるのか、映画フィルムの像がビデオ信号に変換されたものであるのかを正確に判別できるようにしたテレシネ方式検出及び判別装置及び判別方法に関するものである。
【背景技術】
【０００２】
近年、ビデオ信号のソースとしては、映画フィルムの映像、コンピュータグラフィックス（以下ＣＧと記す）による映像、通常のビデオカメラで撮像した映像などが存在する。このため、ＮＴＳＣ方式やＰＡＬ方式のテレビジョン放送信号やビデオディスク再生信号には、映画フィルムやＣＧによるビデオ信号が含まれていることが多々ある。また近年では、記録メディア（例えばＤＶＤ（デジタルバーサタイルディスク），ハードディスク）の記録容量の進歩、さらには伝送方式のデジタル化により、多様なソースの映像信号が混在している場合がある。
【０００３】
映画フィルムは毎秒２４コマであり、ＮＴＳＣ標準テレビジョン信号は毎秒６０フィールドの飛越し走査の映像信号、ＰＡＬ標準テレビジョン信号は毎秒５０フィールドの飛越し走査の映像信号である。したがって、映画フィルムの映像、及びＣＧ映像は、テレシネ変換されて、ＮＴＳＣテレビジョン信号、あるいはＰＡＬテレビジョン信号となる。
【０００４】
テレシネ変換の方式には、２−３プルダウン方式及び２−２プルダウン方式が知られている。２−３プルダウン方式は、毎秒２４コマの映画フィルムをＮＴＳＣテレビジョン信号に変換するときに利用される方式である。この方式は、２つのコマを５つのフィールドに分けるものであり、同じコマから作られたフィールドを同じアルファベットで示し、時系列に対して数値を添えると、
Ａ１、Ａ２、Ｂ１、Ｂ２、Ｂ３、Ｃ１，Ｃ２，Ｄ１，Ｄ２，Ｄ３…  というように５フィールドのシーケンスで表される。
【０００５】
一方、２−２プルダウン方式は、毎秒３０フレームのフィルム映像、或はCG映像をＮＴＳＣテレビジョン信号に変換するときに利用できる方式である。１つのコマを２つのフィールドにわけるものであり、同じコマから作られたフィールドを同じアルファベットで示し、時系列に対して数値で添えると、
Ａ１，Ａ２，Ｂ１，Ｂ２，Ｃ１，Ｃ２、Ｄ１，Ｄ２、…というように、２フィールドのシーケンスで表される。また、２−２プルダウン方式は、例えば、２４コマ/秒のフィルム映像を、５０Ｈｚ（５０フィールド/秒）のビデオ信号に変換する場合に採用される。
【０００６】
一方、ユーザ要望に応え高品質、大画面の表示画像を得られるように、近年のビデオ信号処理部には、インターレース信号をノンインターレース信号に変換する走査線変換処理装置が利用されるようになった。
【０００７】
ところで、走査線変換処理を行う場合には、上記のビデオ信号のソースを識別する必要がある。これは２つのフィールドを重ねてライン補間を行うときに、使用する２つのフィールドが同じソース（同一コマ）からのフィールドでないと、得られたフレーム画像の品質が劣化するからである。
【０００８】
プルダウンされたビデオ信号を検出するテレシネ検出装置として、従来より数々の提案がなされている。
【０００９】
特に、２−３プルダウンされたビデオ信号の判定と、２−２プルダウンされたビデオ信号の判定とを１つの装置で実現する技術がある。この技術は、例えば特開平９−１８７８４号公報の実施例に示されている。この実施例では、入力ビデオ信号の垂直同期周波数に着目し、フィールド周波数が６０Hzである場合に２−３プルダウン方式判定回路を働かせ、フィールド周波数が５０Hzである場合に２−２プルダウン方式判定回路を働かせるものである。このために、垂直同期周波数６０HzのＮＴＳＣ信号が、２−２プルダウンされたビデオ信号である場合、自動検出が困難である。
【００１０】
また、別の従来技術として特開２００３−７８９２６号公報に示された技術がある。この技術では、ビデオ信号自体の性質を利用し、２−３プルダウンされたビデオ信号と２−２プルダウンされたビデオ信号の判定を個別に行っている。このために、実用上問題となる点が上げられる。
【００１１】
２−３プルダウンされたビデオ信号は、フレーム差分から判定され、２−２プルダウンされたビデオ信号はフィールド差分から判定される。したがって、両方式の検出系の大部分が異なる回路構成となり、両検出系間の感度が異なることが容易に推測される。また、両方式の検出系の感度を同一にするための調整に手間がかかることが予想される。さらに、同一の入力ビデオ信号に対して２つの検出系から得られた結果が競合する場合が存在するのではないかと危惧される。２−２プルダウン方式のビデオ信号に対する検出は少ないフィールド間隔数で判定でき、２−３プルダウン方式のビデオ信号に対する検出より先行して検出される、そのため判定感度の偏りが生じるのではないかという疑問が払拭できない。
【００１２】
上記のように従来技術では、２−３プルダウンビデオ信号と２−２プルダウンビデオ信号および通常ビデオ信号の自動検出は、可能性を示した程度で実用レベルでは問題点が多い。また、仮に自動検出を実用レベルに達するまで調整するには手間がかかり、映像処理製品出荷までの調整期間の増大につながり、しいては映像処理製品のコストアップの要因となる。加えて、絵柄によって起こりうる誤検出誘発映像パターンに対する対策が採られておらず実使用上誤判定の恐れを排除できていない。
【特許文献１】特開平９−１８７８４号公報
【特許文献２】特開２００３−０７８９２６号公報
【特許文献３】特開２００２−３３０３１１号公報
【発明の開示】
【発明が解決しようとする課題】
【００１３】
上記のように従来技術では、２−３プルダウンビデオ信号と２−２プルダウンビデオ信号および通常ビデオ信号の自動検出は、可能性を示した程度で実用レベルでは問題点が多い。また、仮に自動検出を実用レベルに達するまで調整するには手間がかかり、映像処理製品出荷までの調整期間の増大につながり、しいては映像処理製品のコストアップの要因となる。加えて、絵柄によって起こりうる誤検出誘発映像パターンに対する対策が採られておらず実使用上誤判定の恐れを排除できていない。
【００１４】
現在、コンピューターグラフィック合成技術（以下CG合成技術と略す）を使って映像素材を制作する機会が増えている。CGは現実ではありえない映像を作成できる点、ロケする場所や期間の制約を緩和する点、など映像制作にメリットがある。この様なＣＧを組み合せた映像は今後ますます増えると考えられる。CGではノンインターレース画像を扱うのが一般的であり、ＮＴＳＣ規格を採用している日本ではテレビ放送との親和性を考慮し、毎秒３０フレーム（以下３０Ｐと略す）の映像を作成している。これをＮＴＳＣ標準テレビジョン信号に変換する場合は、２−２プルダウン方式にて変換している。
【００１５】
また、最近のビデオ信号ソースとして多種のプルダウンビデオ信号が混在したソースがある。この様なソースを記録している例として、ＤＶＤがある。ＤＶＤでは、映画あるいはビデオクリップ撮影時の模様を回想したいわゆる「メーキング映像」と呼ばれる映像ソースがある。俳優ないし歌手に対するインタビュー場面が通常ビデオで撮影されているおり、俳優ないし歌手の回想シーンとして挿入されている場面が映画ならば２４P、CGならば３０Pで制作されている。これらシーンが意図的に短時間のうちに切り替わる構成で編集されたビデオ信号も数多く見受けられる。
【００１６】
また、ＤＶＤ映画においても、映画冒頭のタイトルが３０PのCGでできているため２−２プルダウン映像信号、映画本編が２４Pで撮影されたため２−３プルダウンビデオ信号を収録したＤＶＤも存在する。
【００１７】
そこでこの発明の目的は、１）異なる種類のプルダウン方式がそれぞれ適用された複数の信号に対して、共通信号処理部の割合が大きく、構成が簡単であるテレシネ方式検出及び判別装置を提供することにある。また、２）異なる種類のプルダウン方式の各信号に対する検出能力が高いテレシネ方式検出及び判別装置を提供することにある。また、３）異なる種類のプルダウン方式の各信号に対する検出感度の偏りがないテレシネ方式検出及び判別装置を提供することにある。４）異なる種類のプルダウン方式の各信号が、混在して入力しても誤判定をし難いようにし、安定した動作を得るテレシネ方式検出及び判別装置を提供することにある。
【課題を解決するための手段】
【００１８】
この発明は、上記の目的を達成するために、フィールド周波数を持つ映像信号を用いて、この映像信号の映像ソースが変換処理された時のプルダウン方式を検出する映像信号の自動判別装置において、フィールド毎に動画かあるいは静画かの識別をした動静判定出力を、連続する複数フィールド分取得しフィールド動静パターンとして出力する信号共通処理部と、前記フィールド動静パターンを用いて、第１の種類のプルダウン方式の判定出力を得る第１のプルダウン検出部と、前記フィールド動静パターンを用いて、第２の種類のプルダウン方式の判定出力を得る第２のプルダウン検出部とを有することを基本としている。
【発明の効果】
【００１９】
この発明によれば、１）異なる種類のプルダウン方式がそれぞれ適用された複数の信号に対して、共通信号処理部の割合が大きく、構成が簡単であるテレシネ方式検出及び判別装置及び判別方法を提供する。また、２）異なる種類のプルダウン方式の各信号に対する検出能力が高いテレシネ方式検出及び判別装置及び判別方法を提供する。また、３）異なる種類のプルダウン方式の各信号に対する検出感度の偏りがないテレシネ方式検出及び判別装置及び判別方法を提供する。４）異なる種類のプルダウン方式の各信号が、混在して入力しても誤判定をし難いようにし、安定した動作を得るテレシネ方式検出及び判別装置及び判別方法を提供する。
【発明を実施するための最良の態様】
【００２０】
以下この発明の実施の態様を図面を参照して説明する。
【００２１】
図１はこの発明の一実施の形態を示すブロック図である。図１のブロックは、図２と図３に分けてその下位のブロック構成が示されている。図を用いて、プルダウン映像判定装置を説明する。この発明は輝度信号と色差信号それぞれに適応できるが、ここでは輝度信号側に適用された例を代表して説明する。
【００２２】
この実施例では、２−２プルダウンビデオ信号と２−３プルダウンビデオ信号との信号共通処理系と、各プルダウン方式を自動判定するための両検出系が存在する。２−２プルダウンビデオ信号が２−２プルダウン方式であることを認識するためには、ビデオ信号のフレーム差分情報の様子からは認識することができないため、フィールド差分情報から認識される。また、２−３プルダウンビデオ信号が２−３プルダウン方式であることを認識するためには、ビデオ信号のフレーム差分情報からも、フィールド差分情報からも認識することができる。
【００２３】
したがって、２−３プルダウンビデオ信号検出と２−２プルダウンビデオ信号検出との検出感度の偏りをなくすために、両検出ともフィールド差分情報を利用した識別が行われる。このことは、検出装置を構成する回路の大部分が共通化されていることである。つまり本発明の装置は、共通信号処理部の割合が大きく、構成が簡単になる。
【００２４】
図１において、入力端子１０１に入力された輝度信号は、フィールド差分情報取得部１０に入力される。フィールド差分情報取得部１０から得られたフィールド間の差であるフィールド差分情報は、絶対値取得部２０で絶対値に変換される。絶対値取得部２０で得られた絶対値は、動画画素取得部３０に入力され、閾値と比較される。動画画素取得部３０から得られた動画画素情報は、累積加算部４０に入力される。この累積加算部４０では、１フィールド期間分の動画画素情報が累積加算される。これにより、累積加算部４０からは、１フィールド全体の動画画素の総個数情報が得られる。この動画画素総個数情報は、フィールド動静パターン作成部５０に入力される。フィールド動静パターン作成部５０は、連続する複数のフィールドがそれぞれ動画フィールドと静画フィールドのどちらであるかを示すパターン（ここでは、このパターンをフィールド動静パターンと称している）を出力する。
【００２５】
フィールド差分情報取得部１０、絶対値取得部２０、動画画素取得部３０、累積加算部４０、フィールド動静パターン作成部５０で構成される部分は、検出する方式の種類毎に用意されるのではなく、方式の種類を判別ための信号共通処理部１００として構成されている。
【００２６】
フィールド動静パターンは、２−３プルダウン方式検出部６０と、２−２プルダウン方式検出部７０に入力され、いずれのプルダウン方式であるかが判定される。２−３プルダウン方式検出部６０と、２−２プルダウン方式検出部７０とには、プルダウン方式種類間ヒステリシス設定部８０から後述するような閾値が与えられる。したがって、２−３プルダウン方式検出状態、或は２−２プルダウン方式検出状態に陥ったととき、閾値が与えられているので、直ぐに他方の検出状態に移行しないようになっている。このために、異なるプルダウン方式の信号が、混在して本装置に入力しても、本装置は、誤判定をし難く、安定した動作を得る。
【００２７】
２−３プルダウン方式検出・非検出状態を示す信号と、２−２プルダウン方式検出・非検出状態を示す信号は、選択ロジック部９０に与えられている。選択ロジック部９０に入力する信号が、２−３プルダウン方式の非検出、２−２プルダウン方式の非検出状態であるときは、選択ロジック部９０は、現在の入力ビデオ信号が、通常のビデオカメラで撮影されたものであると判定する。
【００２８】
また、２−３プルダウン検出部６０と２−２プルダウン検出部７０からは、後で詳しく説明するが、フィールド動静パターンの位相識別（ID）情報が得られる。このID情報も、選択ロジック部９０に入力され、フィールド位相情報として用いられる。このフィールド位相情報は、走査線補間のために使用する２つのフィールドを指定するために利用される。
【００２９】
図２、図３は上記の回路ブロックをさらに詳しく示している。入力端子１０１のビデオ信号は、フィールド遅延部１０２で約１フィールド期間遅延される。入力端子１０１側の輝度信号とフィールド遅延部１０２の出力側の遅延輝度信号とは、画面上の水平座標が同位置となるよう図られている。入力端子１０１に入力した輝度信号と、フィールド遅延部１０２で遅延された遅延輝度信号とは、それぞれ垂直ローパスフィルタ１０３と１０４に入力される。垂直ローパスフィルタ１０３と１０４とから出力された各垂直低域輝度信号は、差分器１０５に入力される。差分器１０５からは、フィールド差分信号が得られる。
【００３０】
差分器１０５で得られたフィールド差分信号は、絶対値回路１０６に入力されて、その絶対値が取られる。絶対値回路１０６からの絶対値出力が第1の比較器１０７の一方の入力端に供給される。閾値設定部１０８から任意の閾値が第1の比較器１０７の他方の入力端に与えられている。閾値と絶対値とが比較されて、第1の比較器１０７からは、画素単位で、画像の動きがあるか否かを表す動画画素情報が得られる。
【００３１】
動画画素情報は、累積加算器１１０で1フィールド期間累積され、この累積結果が、1フィールド期間の動画画素総個数情報となる。動画画素総個数情報は、図３の第２の比較器１１３の一方の入力端に供給される。動画画素総個数情報は、閾値設定部１１２からの閾値と比較される。第2の比較器１１３の比較結果は、１フィールド単位で現われ、各フィールドが動画であるか静止画であるかを表す代表値となる。この代表値は、シフトレジスタ群１１４〜１１９に送られる。
【００３２】
シフトレジスタ群１１４〜１１９は、１フィールド単位で入力した代表値をシフトレジストし、少なくとも過去６フィールド分のフィールド単位の代表値を得る。このフィールド単位の代表値の時系列パターンを、以下フィールド動静パターンと称する。６フィールド分のデータ長（代表値のパターン）を採用した理由は後述する。
【００３３】
６フィールド分のフィールド動静パターンは、２−３プルダウン方式検出部６０と２−２プルダウン方式検出部７０へ与えられる。
【００３４】
ここまでの説明で、まったく同一の過程を経て入力映像信号から生成されたフィールド動静パターンが、２−３プルダウン方式検出部６０と２−２プルダウン方式検出部７０へ供給されていることが明白である。この結果、本発明の回路構成は、両検出系で感度の差異が起こりえない構成であることがわかる。
【００３５】
以後は、両検出系の経路が異なるが、引き続き述べるように、両検出系で感度の差異が発生しないような工夫が施してある。フィールド動静パターンは、２−３プルダウン方式検出部６０と２−２プルダウン方式検出部７０へ供給されている。２−３プルダウン方式検出部６０と２−２プルダウン方式検出部７０ともに、1次と2次の2階層の判定部を有する。
【００３６】
２−３プルダウン方式検出部６０は1次判定部１２１と2次判定部１２３から構成される。２−２プルダウン方式検出部７０は、1次判定部１３１と2次判定部１３３から構成される。
【００３７】
まず、概要を説明する。フィールド動静パターンは、２−３プルダウン方式検出部６０内の1次判定部１２１に与えられる。１次判定部１２１は、フィールド動静パターンが比較パターンと一致したら1次判定信号として“１”を出力し、2次判定部１２３に与える。また、2次判定部１２３は、前記1次判定信号の他、ヒステリシス設定部８０から導入回数閾値（Th11）と保持回数閾値（Th12）が与えられている。2次判定部１２３は、１次判定信号の判定繰り返し回数が、導入回数閾値（Th11）を越えたら2次判定信号（２−３プルダウン方式判定信号）として“１”を出力する。
【００３８】
２−２プルダウン方式検出部７０も同様に、フィールド動静パターンが２−２プルダウン方式検出部７０内の1次判定部１３１に与えられる。１次判定部１３１は、フィールド動静パターンが比較パターンと一致したら１次判定信号として“１”を出力し2次判定部１３３に与える。また、2次判定部１３３は、前記1次判定信号の他、導入回数閾値（Th21）と保持回数閾値（Th22）が与えられている。2次判定部１３３は、前記１次判定信号の判定繰り返し回数が導入回数閾値（Th21）を越えたら2次判定信号（２−２プルダウン方式判定信号）として“１”を出力する。導入回数閾値（Th11）と保持回数閾値（Th12）、導入回数閾値（Th21）と保持回数閾値（Th22）は、プルダウン方式種類間ヒステリシス設定部８０から出力されている。
【００３９】
選択ロジック部９０は、２−３プルダウン方式判定信号（A1）と２−２プルダウン方式判定信号（A2）を受け、判定内容からプルダウン映像種類判定値（A3）を出力するとともに、両検出部から得たフィールド位相（ID）を選択してプルダウン方式フィールド位相（PH1）を出力する。なお、２−３プルダウン方式判定信号（A1）と２−２プルダウン方式判定信号（A2）とが同時に１になることはない。２−３プルダウン方式判定信号（A1）と２−２プルダウン方式判定信号（A2）とが同時に０になる場合、通常のビデオカメラから得られた映像信号が入力しているものと判断できる。
【００４０】
図４には、２−３プルダウン方式検出部６０内の1次判定部１２１の詳細を示し、図５には、２−２プルダウン方式検出部７０内の1次判定部１３１の詳細を示す。
【００４１】
図４において、２−３プルダウン方式検出部６０内の1次判定部１２１には、６フィールドのフィールド動静パターンが、5個のパターン比較器１２４−１２８に並列に与えられる。各パターン比較器１２４−１２８は、入力パターンと内蔵してある比較パターンが一致したら“１”を、一致しない場合は“０”を出力する。５個のパターン比較器１２４〜１２８があるのは、２−３プルダウン方式のシーケンスが５フィールドの繰り返しであるためである。そして、判定結果が毎フィールドに得られるように、各パターン比較器１２４〜１２８に内蔵した比較パターンはそれぞれ位相を1相ずつ回転した関係にある。パターン比較器１２４から１２８の出力がＯＲ回路１２９に与えられることで、1次判定結果の出力端子には、毎フィールド判定結果（1次判定信号）が得られる。
【００４２】
さらにOR回路１２９からは、ID情報が出力されている。このID情報は、フィールド動静パターンが、パターン比較器１２４〜１２８に内蔵した比較パターンのどのパターンと一致したのかを示す識別情報である。この識別情報は、５フィールドで内容が繰り返される動静パターンの位相情報を表すことになる。
【００４３】
図５に示すように、２−２プルダウン方式検出部７０の1次判定部１３１では、フィールド動静パターンが、２個のパターン比較器１３４、１３５に並列に与えられる。各パターン比較器１３４，１３５は入力パターンと内蔵してある比較パターンが一致したら“１”を、一致しない場合は“０”を出力する。２個のパターン比較器１３４、１３５があるのは、２−２プルダウン方式のシーケンスが２フィールドの繰り返しであるためである。判定結果が、毎フィールドに得られるように、各パターン比較器１３４，１３５に内蔵した比較パターンはそれぞれ位相を１相ずつ回転した関係にある。パターン比較器１３４、１３５の出力がＯＲ回路１３６に与えられることで、1次判定結果の出力端子には、毎フィールド判定結果（1次判定信号）が得られる。
【００４４】
さらにOR回路１３６からは、ID情報が出力されている。このID情報は、フィールド動静パターンが、パターン比較器１３４、１３５に内蔵した比較パターンのどのパターンと一致したのかを示す識別情報である。この識別情報は、２フィールドで内容が繰り返される動静パターンの位相情報を表すことになる。
【００４５】
ここで、両判定処理の間で、判定感度に差異が発生しないようし工夫した点を2つ述べる。まず、第1点は、各パターン比較器に内蔵されている比較パターンについてである。２−３プルダウン方式検出部６０と２−２プルダウン方式検出部７０での比較パターンは、同一のパターン長（データ長）であり、かつ両検出部の比較パターン間で、排他的なパターンとなるデータ長を採用してある（比較パターンは、位相を回転した比較パターンすべてを含む）。
【００４６】
具体的に述べる。フィールド差分情報から得た２−３プルダウンビデオ信号を示す動静パターンは「１０１００」の繰り返しとなる。２−２プルダウンビデオ信号を示す動静パターンは「１０」の繰り返しとなる。まず、動静パターンの長い方にパターン長を合わせた５フィールド分の比較パターンを考えると、２−３プルダウン方式と２−２プルダウン方式のシーケンス間で同一となる比較パターンが存在する。故に、これでは、両判定の競合が発生するので不適格なパターン（データ長）となる。
【００４７】
続いて６フィールド分のパターンを考えてみる。図４に示すように、２−３プルダウン方式検出部２０では、２−３プルダウン方式比較パターン「１０１００１」とその位相を回転させた「０１００１０」、「１００１０１」、「００１０１０」、「０１０１００」の合計５種の比較パターンを比較器１２４〜１２８に並列に具備する。
【００４８】
一方、２−２検出部では、図５に示すように、２−２プルダウン方式比較パターン「１０１０１０」とその位相を回転させた「０１０１０１」の合計２種の比較パターンを比較器１３４と１３５を並列に具備して判定する。
【００４９】
これら比較パターンは２−３プルダウン方式と２−２プルダウン方式間で排他的なので、２−３プルダウン方式判定と２−２プルダウン方式判定が競合することはない。
【００５０】
第2の工夫点は、前述のとおり２−３プルダウン方式検出部６０と２−２プルダウン方式検出部７０とで毎フィールド判定結果を得ている点である。ともに毎フィールド判定ということは、単位時間当たりに判定する判定間隔が、両判定間で等しいことであり、必然的に両判定間で感度の差異が発生しない構造となる。
【００５１】
ここまでで、1次判定での工夫点を述べた。理想的な２−３プルダウン方式あるいは２−２プルダウン方式のビデオ信号のフィールド動静パターンが、２−３プルダウン方式検出部６０と２−２プルダウン方式検出部７０とに与えられたときに誤判定は起こらない。
【００５２】
しかし、フィールド動静パターンは、絵柄に依存するため絵柄に対する配慮、また、誤判定誘発映像パターンに対しては、1次判定部では排除できないのでさらなる工夫が必要となる。
【００５３】
これらに対する配慮を述べる。まず、真のプルダウンビデオ信号に対するフィールド動静パターンと誤判定誘発映像パターンの発生頻度に着目し、プルダウンビデオ信号に対する真のフィールド動静パターンの区別のためにヒステリシスを設ける。
【００５４】
図６は、プルダウン方式種類間ヒステリシス設定部８０の具体的構成例であり、閾値設定がどのように行われるかについて説明している。プルダウン方式種類判定値（A３）は、図１の選択ロジック部９０からフィードバックされ、デコーダ１４７に与えられている。デコーダ１４７からは、直前の判定値が２−３プルダウン方式であるか２−２プルダウン方式であるかを表す値を出力する。
【００５５】
この出力はセレクタ１４３、１４４、１４５、１４６に供給され、２−３プルダウン方式用の導入回数閾値（Th11）と２−３プルダウン方式用の保持回数閾値（Th12）と、２−２プルダウン方式用の導入回数閾値（Th21）と２−２プルダウン方式用の保持回数閾値（Th22）を決定する。
【００５６】
即ち、直前のプルダウン方式種類判定値が２−３側であった場合、デコーダ１４７からは‘０’が出力され、２−３プルダウン方式用導入回数閾値（Th11）は任意に設定できる導入回数閾値（L1）が選択される。２−３プルダウン方式用保持閾値（Th12）は任意に設定できる保持回数閾値（L２）が選択される。２−２プルダウン方式用導入回数閾値（Th21）はそのビット幅の最大の値が選択される。２−２プルダウン方式用保持回数閾値（Th22）は最小値０が選択される。
【００５７】
直前のプルダウン方式判定が２−２プルダウン方式側の場合は逆の設定となる。つまり、デコーダ１４７から‘１’が出力され、２−２プルダウン方式用の導入回数閾値（Th21）は任意に設定できる導入回数閾値（L1）が選択される。２−２プルダウン方式用の保持回数閾値（Th22）は任意に設定できる保持回数閾値（L2）が選択される。２−３プルダウン方式用の導入回数閾値（Th11）はそのビット幅の最大の値が選択される。２−３プルダウン方式用の保持回数閾値（Th12）は最小値０が選択される。
【００５８】
上記のヒステリシス設定部８０は、2次判定部と相俟って動作する。即ち、直前のプルダウン方式判定値が２−３側であった場合、２−３プルダウン方式を判定しやすくかつ保持しやすく、かつ２−２プルダウン方式を判定しにくくかつ２−２プルダウン方式判定から抜け易く、ヒステリシスを設定するのである。直前のプルダウン方式判定が２−２プルダウン方式側であった場合は上記の逆の設定となる。
【００５９】
図７は、上記の閾値を受けた２−３プルダウン検出部６０内の２次判定部１２３のフィールド毎の動作を表すフローチャートである。直前の２−３プルダウン方式2次判定が“１”であるかどうかに応じて論理動作が分かれる。
【００６０】
直前の２−３プルダウン方式2次判定が“１”である（つまり２−３プルダウン方式判定状態）場合は、保持ヒステリシスを与える動作をする。現在の２−３プルダウン方式2次判定が“０” （つまり２−３プルダウン方式非判定状態）であるかどうか判定される（ステップS１、S2）。ここで現在の２−３プルダウン方式2次判定が“１”であれば、直前と変わりないことであり、終了となる。逆に現在の２−３プルダウン方式2次判定が“０”であれば、２−３プルダウン判定から離脱する可能性があることである。このときはステップS３に移行し、1次判定フラグを受け、パターン不一致回数をインクリメントする。次にステップS4に移行し、不一致回数が保持回数閾値を超えているかどうかを判定する。保持回数閾値を超えていない場合は、不一致回数の値を保持して、一旦終了して、スタート状態に戻る。ステップS4で不一致回数が閾値を超えた場合は、２−３プルダウンではない可能性が高いことであり、２次判定出力を“０”（２−３プルダウン方式判定状態を解除）に変更する。
【００６１】
ステップS1において、直前の２−３プルダウン方式2次判定が“０”である（つまり２−３プルダウンではない状態であった）場合は、導入ヒステリシスを与える動作をするためステップS10に移行する。ここでは、現在の２−３プルダウン方式１次判定が“１”であるかどうかを判断する。現在の２−３プルダウン方式１次判定が“１”でない場合は、２−３プルダウンではない状態なので、終了する。しかし、現在の２−３プルダウン方式１次判定が“１”となっていた場合は、２−３プルダウン方式判定に移行する可能性がある。
【００６２】
このときは、ステップS11に移行し、1次判定フラグを受け、パターン一致回数をインクリメントする。次にステップS12に移行し、一致回数が導入回数閾値を超えているかどうかを判定する。導入回数閾値を超えていない場合は、一致回数の値を保持して、終了し、再度スタート状態に待機する。ステップS12で一致回数が閾値を超えた場合は、２−３プルダウン方式に移行している可能性が高いことであり、２次判定出力を“１”（２−３プルダウン方式判定への引き込み状態）に変更する。
【００６３】
したがつて、上記の保持回数閾値（大きく）、導入回数閾値の値（小さく）を調整することにより、直前のプルダウン方式判定値が２−３側であった場合、２−３プルダウン方式を判定しやすくかつ保持しやすく、ヒステリシスを設定することができる。
【００６４】
また、２−２プルダウン部７０内の２次判定部１３３のフィールド毎の動作は上記説明中の２−３プルダウンを２−２プルダウンと読み替えたものとなる。そして同様に、直前のプルダウン方式判定値が２−２側であった場合、２−２プルダウン方式を判定しやすくかつ保持しやすく、ヒステリシスを設定することができる。
【００６５】
誤判定誘発映像パターンは、発生頻度が少ないため、導入回数閾値に達せず、2次判定の判定結果に至らない。また、もしＤＶＤの再生映像データのチャプターがかわり、前チャプターでは２−３プルダウン映像、現チャプターでは２−２プルダウン映像という場合を考えると、以前の判定により２−２プルダウン映像判定しにくくなっているが、真のプルダウン映像パターンは発生頻度が多いため、いつしか閾値を越えて２−２プルダウン方式判定に至る。これ以降は２−２プルダウン方式判定を維持しようと動作する。
【００６６】
続いて、フィールド動静パターンは絵柄に依存しているため、常時理想的なパターンが得られるとは限らず、一瞬の判定外れがおこる場合が考えられる。ある程度の期間内の判定外れなら、保持ヒステリシスにて判定状態を保持して、プルダウン方式判定の切替わりが頻発することを防ぎ、安定した判定動作を意図するものである。もちろん、過度の状態保持は映像の編集点等に追随できないので、適度な値に設定する。
【００６７】
上記したように、本発明の装置では、プルダウン判定部のヒステリシスに２つの種類のヒステリシスを持たせている。２−３（第１の種類）プルダウン方式１次判定部１２１は、フィールド動静パターンと、２−３プルダウン方式の比較パターンとを比較し、フィールド毎に１次判定出力を得る。２次判定部１２３は、１次判定部からの１次判定出力を入力として用い、入力に対する応答特性として導入ヒステリシスを持ち、出力の保持状態を変化させる出力特性として保持ヒステリシスを持つ。２−２（第２の種類）プルダウン方式１次判定部１３１も、同様であり、フィールド動静パターンと、第２の種類のプルダウン方式の比較パターンとを比較し、フィールド毎に１次判定出力を得る。２次判定部１３３は、１次判定部からの１次判定出力を入力として用い、入力に対する応答特性として導入ヒステリシスを持ち、出力の保持状態を変化させる出力特性として保持ヒステリシスを持つのである。そして、第１の種類のプルダウン方式２次判定部と第２の種類のプルダウン方式２次判定部とのそれぞれにおける、導入ヒステリシスは、現判定出力と同じ入力に対しては応答し易く（現判定出力と異なる入力に対しては応答し難く）、前記保持ヒステリシスは、現判定出力を保持し易く（現判定出力と異なる出力に切り換わるのに対しては応答し難く）設定されている。
【００６８】
本実施の形態では、1画面単位で累積加算値を得たが、画面をいくつかのブロックに分け、ブロック毎に累積加算値を得てテレシネ判定することももちろん可能である。
【００６９】
この場合は、ブロック毎のフィールド動静パターンが得られることになる。したがって１フィールド期間内で、複数ブロックに対する動静判定出力が順次得られる。そして個々のブロック領域に対するプルダウン種類判定値が得られることになる。このプルダウン種類判定値は、個々のブロック領域に対して、走査線補間のための指定情報（３フィールドの内中心のフィールドの走査線の補間用として、１フィールド前の走査線を利用するのか、１フィールド後の走査線を指示する情報）として利用される。１フィールドの中で、ブロックに対しては２−３プルダウン方式であることの判定値が得られ、他のブロックに対しては通常ビデオ信号であることの判定値（或は２−２プルダウン方式であることの判定値）が得られるかもしれない。しかし、このような判定結果が得られても問題はない。例えば、映画放送中に臨時ニュースのテロップが挿入されたとする。背景となる映画ソースは２４コマのフィルムから作られた２−３プルダウン方式の映像であり、テロップは背景とは無関係な通常ビデオ方式ないし２−２プルダウン方式となる。これらシーンが、１つの画面に混在して編集されたビデオ信号に対して、上記の判定動作は有効である。
【００７０】
次に、本発明の他の実施の形態について説明する。この実施の形態では、第1の実施の形態に加えて、更なる的確さ、かつ迅速さかつ安定度でプルダウン方式判定を動作させることを意図するものである。この実施の形態は、入力映像の動画領域の割合が絵柄により異なることに着目している。この実施の形態は、自然画などのように静止画シーンの多い映像に対しても、的確にテレシネ判定できる手段を具備している。
【００７１】
図１の実施形態との差異は、フィールド動静パターンを得る途中に自動利得可変手段を具備していることである。
【００７２】
第1の実施の形態例ではテレシネ判定のために２値化したフィールド動静パターンを得ている。フィールド動静パターンは１フィールド期間の動画画素個数と閾値の比較結果であり、１フィールド期間の動画画素個数は、１画面中の動画領域の割合に左右される。１フィールド期間の動画画素個数は、その値そのものに意味があるのではなく時系列パターンに意味がある。そのため、絵柄が動画ならば動画なりのパターンを、静止画ならば静止画なりのパターンを得れば、映像の規則性がより詳しく求められる。
【００７３】
図８に第２の実施の形態を示す。図１に示す第1の実施の形態との差異は、図１に示した絶対値取得部２０と、フィールド動静パターン作成部５０との間に自動利得調整部２０６を含む自動利得調整手段１０００を具備していることである。他の部分は図１と同じであるために、図８では、図１と異なる部分を示している。
【００７４】
図８を参照して説明する。絶対値取得部２０によってフィールド差分の絶対値が得られる。実施の形態１で述べたように、このフィールド差分絶対値は、比較器１０７、累積加算器１１０からなる回路に入力される。累積加算器１１０では、１フィールド中の動画画素数がカウントされる。
【００７５】
一方、前記フィールド差分絶対値は、自動利得調整部２０６を構成する比較器２０７の一方端に入力される。この比較器２０７では、絶対値と、閾値設定部２０８からの静止画素判定閾値とを比較する。比較器２０７は、前記絶対値が小さいときに論理値‘１’を得る。これを静止画画素とする。この静止画画素は、累積加算器２１０に入力される。累積加算器２１０では、１フィールド中の静止画画素数が計算される。
【００７６】
この静止画画素数とゲイン設定閾値とが比較され、静止画画素数の大小に応じてゲイン可変が決定される。比較した比較結果がゲイン可変回路２１３に与えられる。この比較結果は、モニタ端子２１４にて観測できる。
【００７７】
比較結果は単純に、閾値との大小の関係を表す2値でもよい。あるいは、閾値より小さい、閾値より大きく閾値の2倍より小さい、閾値の2倍以上のように大小関係を表す３値でもよい。また複数の閾値との大小関係を表す値でもよい。
【００７８】
ゲイン可変回路２１３は、累積加算器１１０からのフィールド動画画素数を、比較結果に応じて補正動画画素数に変換する。ゲイン決定器２１１の比較結果により静止画画素数が少ないと判定した時は、フィールド動画画素数を1倍で補正動画画素数に変換する。比較結果により静止画画素数が多いと判定した時ほど、フィールド動画画素数の増幅度を増した補正動画画素数に変換する。
【００７９】
これにより、絵柄中の動画画素領域の割合が小さくても、動画画素をあぶりだすように働き、補正動画画素数を得ることができる。つまり、従来技術では、ある程度の動画シーンを待たないとテレシネ判定できないが、本実施例では少ない動きでもあぶりだすため、テレシネ判定が迅速に行える。動画の検出感度を静止画の状態に応じて制御している。このように、１フィールド期間中に静止画の占める割合に応じて、動画判定出力の累積加算値の利得を制御することを特徴とする。
【００８０】
補正動画画素数は比較器１１３にて動静パターン閾値と比較され、2値化したフィールド動静パターンとなる。以降は第1の実施の形態と同じなので省略する。
【００８１】
また、補正動画画素数は、シフトレジスタ２１５、２１６にて１フィールド毎にシフトし、補正動画画素数モニタ端子２１７，２１８にて時系列データが同時に観測される。プルダウン映像入力であれば時系列的に「相関あり」、「相関なし」が規定周期で繰り返すわけであるので、数値大、数値小が繰り返されることが期待される。
【００８２】
次に比較器１１３に対する閾値設定部１１２からの閾値Th31は、任意に与えられるので既知であり、補正動画画素数モニタ端子２１７、２１８の値が閾値Th31をはさむように他の閾値Th32、Th33、Th34を調整すれば、調整がすばやく行える。なおこれらの閾値は、ＩＣ化されたチップの外から調整できるようになっている。
【００８３】
動画シーンの多い絵柄や静止画シーンの多い絵柄の映像信号を入力して、前述の比較結果モニタ端子２１４をモニタしながら、閾値Th32、Th33、Th34、Th31を調整すれば、動き領域の割合の多様な絵柄に対して容易に調整できる。これは製造後、調整作業者の作業が容易になり、短時間で調整が済み、ひいては製品価格の低減にも有用であることを意味する。
【００８４】
なお、理想的な２−３プルダウン映像の入力時でも、５フィールドシーケンスなので補正動画画素数モニタ端子２１７、２１８の値が閾値Th31をともに下回ることも当然予想されるが、５フィールドに1度のことなので確率的に低く２端子で済ませている。
【００８５】
以上、映像装置の調整期間を短縮する方法を付記した。このことは調整コストおよび期間を低減することになる。本実施の形態では、絵柄中の動画領域の割合を得るために、静止画画素個数をカウントした。この方式の長所を述べる。
【００８６】
まず、動画画素判定のための閾値Th32と静止画画素判定のための閾値Th33が独立しているため、両者の間に不感帯を設けて、ノイズによる誤動作を防ぎ的確にテレシネ判定ができる。次に、映画（たとえばビスタサイズ）を素材とした映像には、画面上下に無画部を付加して伝送してくるものがある。本実施例は画面中の実質的な有効領域を得るために無画部の領域を特別に計測する必要がない。なぜなら、上下無画部は通常黒色の静止画であるから、他の静止画領域と同様に計測されるためである。よって上下無画部領域判定回路は不要であり、回路リソースの増大を抑えられる。
【００８７】
以上詳述したように本実施例では、絵柄の動画部分の割合によらず、動画シーンの多い絵柄はもとより、静止画シーンの多い絵柄でも、的確かつ迅速かつ安定したテレシネ検出特性を得ることができる。また、本実施例でも、1画面単位で累積加算値を得たが、画面をいくつかのブロックに分け、ブロック毎に累積加算値を得て自動利得調整をしてテレシネ判定することももちろん可能である。
【００８８】
また、本実施例では、動画画素個数を動的に利得変換した補正動画画素個数を求めたが、比較対象である動静パターン閾値を動的に変更する構成をとることももちろん可能である。
【００８９】
図９には、動き適応型走査線変換部３２０と、プルダウン方式判定出力との関連を示している。これまで示した図面の符号と同一部分には、同一符号を付している。
【００９０】
動き適応型走査線変換部３２０には、動き検出部３０２が設けられている。動き検出部３０２は、画像の動きを検出する。動き検出部３０２は、入力ビデオ信号として、フィールド遅延部１０２の入力側の信号と、フィールド遅延部１０２の出力をさらに１フィールド遅延するフィールド遅延部３０１の出力側の信号を利用している。フィールド遅延部１０２の出力は、フィールド内補間走査線生成回路３１１に入力され、フィールド遅延部３０１の出力は、フィールド間補間走査線生成回路３１３に入力される。フィールド内補間走査線生成回路３１１、フィールド間補間走査線生成回路３１３はいずれも補間用の走査線を生成する回路である。フィールド内補間走査線生成回路３１１は同一フィールド内の上下の走査線を用いて補間用走査線を生成するが、フィールド間補間走査線生成回路３１３は、前のフィールドの対応する走査線を用いて、補間用走査線を生成する。
【００９１】
フィールド内補間走査線生成回路３１１、フィールド間補間走査線生成回路３１３の出力は、混合回路３１４において、動き検出回路３０２からの動き検出信号の大きさに応じて、混合割合が制御されて混合される。動画領域では、フィールド内補間走査線生成回路３１１の出力の混合割合が多くなり、静画領域では、フィールド間補間走査線生成回路３１３の出力の混合割合が多くなる。混合回路３１４の出力は、倍速変換回路３１５に入力される。倍速変換回路３１５は、フィールド遅延部１０２の出力の信号と、混合回路３１４からの信号の水平走査周波数を倍速にし、両者をインターリーブし、インターレースのビデオ信号を生成して出力する。
【００９２】
ここで、２−３プルダウン方式或は２−２プルダウン方式の信号が入力しているときは、倍速変換回路３１５には、フィールド遅延部１０２からの信号と、スイッチ３１６、３１７を通過した信号が入力される。
【００９３】
この場合は、プルダウン種類デコード回路３１９がスイッチ３１７をｂ２側に切り替える。スイッチ３１６は、位相デコード回路３１８により制御され、ａ１或はｂ１側に切り替えられる。つまり、位相デコード回路３１８は、走査線補間のための指定情報を出力するもので、３フィールドのうちの中心のフィールドの走査線の補間用として、１フィールド前（ｂ１側）の走査線を利用するのか、１フィールド後（ａ１側）の走査線を指示する情報を出力している。この指示情報は、２−３プルダウン方式の信号の合成、２−２プルダウン方式の信号の合成にそれぞれ適合するように、スイッチ３１６を制御している。
【００９４】
上記したように本発明の実施の形態は、実用的であり種々の効果を奏し、またその特徴的なポイントを有する。
【００９５】
１）フィールド差分からフィールド動静パターンを得てプルダウン方式判定している。２−２プルダウン方式判定は、原理上同一フィールドが１フレーム間離れて重複することがないため、フィールド差分から求めるしかない。一方、２−３プルダウン方式判定はフィールド差分からもフレーム差分からも求められるので、本発明ではフィールド差分から求めるようにし、検出系の大部分を共通化でき、両判定の感度に偏りが生じず的確な判定ができる構成となる。
【００９６】
そして、両プルダウン方式判定手段間にヒステリシスを設けることで、映像素材の種類（２−３/２−２プルダウン映像や通常ビデオ映像）を確実かつ迅速かつ安定して自動判定できる。フィールド毎の動静パターンの抽出に自動利得制御機構を設けることで、映像の絵柄の動画領域の割合に関わらず、適切な感度でテレシネ判定を安定して行うものである。
【００９７】
２)フィールド動静パターンの比較パターンに両検出間で排他的なパターンを選んでいる。フィールド動静パターンで、動を１、静を０として表現すると、２−３プルダウン映像は５フィールドシーケンスであるので判定パターンは「１０１００」である。一方、２−２プルダウン映像の判定パターンは、２フィールドシーケンスなので、「１０」であるが、２−３プルダウン映像のパターン中にも「１０」が含まれているため、排他的なパターンが出現するまでの長さ分を持ったパターンを比較パターンとして採用し、両判定が排他的に起こるようにして誤判定を防ぐ。つまり、２−３プルダウン方式と２−２プルダウン方式の比較パターンが排他的なため、同一のフィールド動静パターンにより判定が競合することがない。
【００９８】
３）パターン比較を毎フィールド行っている。先の２）に記載した方法のみでは、２−３プルダウン方式判定は５フィールド毎に、２−２プルダウン方式判定は２フィールド毎に判定することになるが、２−３プルダウン方式判定と２−２プルダウン方式判定ともに単位時間当たりの比較回数を同一にして検出感度の偏りが生じない構造にするため、各比較パターンの位相を回転したパターンをも比較パターンとして、並列に比較判定する。また、この構造により迅速な判定が行える。２−３プルダウン方式判定と２−２プルダウン方式判定ともに、フィールド毎に判定、すなわち単位時間内に同一回数判定するので判定感度が異なることがない。
【００９９】
４）２−３プルダウン方式判定と２−２プルダウン方式判定間にヒステリシスを設けている。２−３プルダウン方式判定と２−２プルダウン方式判定機構それぞれに、導入ヒステリシスと保持ヒステリシスの２つを設ける。そして、直前に判定した方の導入ヒステリシスを検出しやすく、保持ヒステリシスを保持しやすく設定する。直前に判定しない方の導入ヒステリシスを検出にくく、保持ヒステリシスを保持しにくく設定する。ここで、真のプルダウン方式パターンと絵柄に依存して発生する誤判定誘発映像パターンとの発生頻度を比べると、誤判定誘発映像パターンは頻発するものではないので、導入ヒステリシスを与えることで、判定が規定回数に満たないものを排除して誤判定を防ぎ、的確かつ安定して判定する。また、真のプルダウン方式パターンも常に得られるわけではないので、直前に判定した方から外れた場合閾値までの外れ状態は、復帰を期待して判定を保持する。これにより判定が安定する。２−３プルダウン方式判定と２−２プルダウン方式判定との間に、ヒステリシス特性を設けているので、誤判定を防止し、理想的なプルダウン映像パターンが得られない場合でも安定して判定動作できる。上記4点より、実用レベルでプルダウン方式種類の自動判定が可能である。
【０１００】
さらに、映像の絵柄（動画シーンや静止画シーンの多い映像）に応じて適切な感度でプルダウン方式判定する。５）フィールド差分からフィールド動静パターンを得る過程で累積値に利得可変して増幅している。前述のフィールド動静パターンは、動画画素あるいは静止画画素数を累積して求めている。
【０１０１】
動きが多い絵柄の場合は、累積値中の動画画素個数が多いため累積値カウンタの上位桁までカウントされる。動きが少ない絵柄の場合は、累積値中の動画画素個数は少ないため累積値カウンタの上位桁までカウントされない。そこで、絵柄中の動画画素の割合に応じて、累積値カウンタ値を増幅すると、動きが少ない場合でも大きな値が得られる。すなわち動画領域の多少に関わらず動きがあぶりだされ、テレシネ判定感度が最適化される。上記のように絵柄の動画部分の割合によらず、動画シーンの多い絵柄はもとより、静止画シーンの多い絵柄でも、的確かつ迅速かつ安定したテレシネ検出特性を得ることができる。
【０１０２】
以上説明したように、本発明では、いわゆる“メイキング（making）もの”のような通常ビデオとフィルムあるいはＣＧ素材映像の混在したＤＶＤソースに的確かつ迅速に対応したプルダウン方式判定ができる。また、本発明を例えば順次走査線変換に応用すれば入力映像に応じた順次走査線変換方式を選択できるので高画質な映像を提供できる。毎フィールド、テレシネ判定するので、判定が迅速に行える。
【０１０３】
２−３プルダウン方式検出と２−２プルダウン方式検出ともに、同一のフィールド動静パターンから検出しているので、２−３プルダウン方式検出と２−２プルダウン方式検出の感度に偏りが生じない。また、両検出回路の共用化が図れているので、より少ないコストで２−３/２−２プルダウン方式自動検出装置を提供できる。
【０１０４】
また、２−３プルダウン方式検出と２−２プルダウン方式検出で同一の閾値を共用しているため、検出感度調整をするテレビ受像機メーカーの調整者の負担を減らすことが可能である。２−３プルダウン方式検出と２−２プルダウン方式検出に、排他的な比較パターンを用いているので、誤判定が起こさず安定し的確な判定が可能である。
【０１０５】
２−３プルダウン方式判定と２−２プルダウン方式判定に直前の判定値から決定される排他的なヒステリシスを有するので、誤検出を起こさず的確かつ安定した判定が可能である。ヒステリシスを有したプルダウン方式検出機構により、判定が頻繁に切り替わることを抑えるので、安定しかつ破綻のない映像を提供できる。
【０１０６】
構造的に誤判定の起こりにくいテレシネ検出手段であり、閾値の種類も少ないので、閾値を決定する映像処理機器メーカーの調整者の負担を大幅に減らすことが可能である。ＮＴＳＣ圏の２−３/２−２プルダウン方式およびＰＡＬ圏の２−２プルダウン方式を自動検出できるので、本発明の回路構成をＩＣ化すれば、１つのＩＣで全世界向けに出荷でき、仕向地毎にＩＣを作り代える必要がなく、その分安価に映像処理装置を提供できる。
【０１０７】
また、手動で２−３/２−２プルダウン方式の個別判定を停止できるので、ある仕向地においては無関係の判定を切って誤判定の起こりえない判定装置をも容易に提供できる。
【０１０８】
自動利得制御機構により、入力映像の動画領域の多少によらず、動画画素累積値をあぶりだす効果があるので、的確かつ迅速かつ安定してテレシネ判定ができる。
【０１０９】
自動利得制御機構により、同一の閾値で動画シーンの多い映像から静止画シーンの多い映像まで、広範囲に的確かつ迅速にテレシネ判定ができる。また、モニタ手段にて閾値を決定する映像処理機器メーカーの調整者の負担を減らすことが可能である。
【０１１０】
自動利得制御機構を静止画画素の度数によって制御するので、映画ソースの表示に見られる上下無画部を自動的に静止画として扱える。よって上下無画部のサイズを別途検出する必要がなく、その分回路規模の少ない装置を提供できる。
【０１１１】
さらに、最近のＤＶＤ映像に見られるように、多種のプルダウンビデオ信号、例えば２−３プルダウンビデオ信号と２−２プルダウンビデオ信号と通常ビデオ信号が混在しても、そのソースの種類の自動判定が、的確かつ迅速かつ安定して得られる。また、上記の自動判定のみならず、映像種類に応じた処理、例えば順次走査線変換に応用した場合は高画質な映像を得る。プルダウン方式判定方法は、映像信号のフィールド差分あるいはフレーム差分に依存しているため、絵柄により検出が困難となる。例えば静止画が続くシーンでは検出が困難である。そこで、絵柄の動画部分の割合によらず、安定したテレシネ検出特性を得る。また、付随して、映像処理機器技術者の調整作業を容易にすることができ、調整期間の短縮が得られる。
【０１１２】
上述した本発明の要部を構成する部分をまとめる。フィールド周波数を持つ映像信号を用いて、この映像信号の映像ソースが変換処理された時のプルダウン方式を検出する映像信号の自動判別装置である。信号共通処理部１００は、フィールド毎に動画かあるいは静画かの識別をした動静判定出力を、連続する複数フィールド分取得しフィールド動静パターンとして出力する。第１のプルダウン検出部６０は、前記フィールド動静パターンを用いて、第１の種類のプルダウン方式の判定出力を得る。第２のプルダウン検出部７０は、前記フィールド動静パターンを用いて、第２の種類のプルダウン方式の判定出力を得る。そして、ヒステリシス設定部８０は、前記第１のプルダウン検出部６０と第２のプルダウン検出部７０との各応答特性に対してヒステリシス特性を設定する。
【０１１３】
ここで、信号共通処理部１００は、前記映像信号が供給され、フィールド差分情報を得るフィールド差分情報取得部１０と、前記フィールド差分情報の絶対値を得る絶対値取得部２０と、前記絶対値から、動画画素を判定して動画画素判定出力する動画画素取得部３０と、前記動画画素判定出力を１フィールド分累積する累積加算部４０と、前記累積加算部からの累積値と閾値とを比較し、フィールド毎に動画か或は静画かの識別をした動静判定出力を得、連続する複数フィールド分の動静判定出力をパターン化してフィールド動静パターンを出力するパターン作成部５０とからなる。
【０１１４】
また、この発明では、前記信号共通処理部１００は、前記絶対値から、動画画素を判定して動画画素判定出力を出力する動画画素取得部１０７，１０８と、前記動画画素判定出力を１フィールド分累積する動画画素累積加算部１１０と、前記絶対値から、静画画素を判定して静画画素判定出力を出力する静画画素取得部２０８，２０７と、前記静画画素判定出力を１フィールド分累積する静画画素累積加算部２１０とを具備する。そして、前記静画画素累積加算部２１０の出力値が大きくなるにつれて、前記動画画素累積加算部１１０からの出力の利得を大きくする利得可変手段２１２−２１３と、前記利得可変手段２１２−２１３からの出力値と閾値とを比較し、フィールド毎の動静判定出力を得、複数フィールド分の動静判定出力をパターン化して出力するフィールド動静パターンを作成する作成部５０とからなる。また、利得可変手段の出力部には、利得制御された値をモニタするためのモニタ端子２１７，２１８が設けられており、調整を容易にしている。
【０１１５】
前記第１のプルダウン検出部６０と前記第２のプルダウン検出部７０とは、前記フィールド動静パターンと、このフィールド動静パターンが比較される前記第１及び第２の比較パターンの各データ長としては、同一であり、且つ第１の種類のプルダウン方式に対する動画判定・静画判定の出現パターンと、第２の種類のプルダウン方式に対する動画判定・静画判定の出現パターンとが対比された場合、排他的なパターンとなるデータ長を採用している。
【０１１６】
前記第１のプルダウン検出部６０では、位相を回転した複数の第１の比較パターンを有し、この複数の第１の比較パターンに対して前記フィールド動静パターンが並列に比較され、このフィールド動静パターンがいずれかの第１の比較パターンに一致したときに第１の種類のプルダウン方式の判定出力を得る。
【０１１７】
前記第２のプルダウン検出部７０では、位相を回転した複数の第２の比較パターンを有し、この複数の第２の比較パターンに対して前記フィールド動静パターンが並列に比較され、このフィールド動静パターンがいずれかの第２の比較パターンに一致したときに第２の種類のプルダウン方式の判定出力を得る。上記の設定により第１の種類のプルダウン方式判定と第２の種類のプルダウン方式判定ともに単位時間当たりの比較回数を同一にして検出感度の偏りが生じないようにしている。
【０１１８】
第１の種類のプルダウン方式検出部１２３においては、１次判定出力に対する応答特性として導入ヒステリシスを持ち、現判定出力の保持状態を変化させる出力特性として保持ヒステリシスを持つ。第２の種類のプルダウン方式検出部１３３も１次判定出力に対する応答特性として導入ヒステリシスを持ち、現判定出力の保持状態を変化させる出力特性として保持ヒステリシスを持つ。これにより第１の種類のプルダウン方式２次判定部と第２の種類のプルダウン方式２次判定部とのそれぞれにおける、前記導入ヒステリシスは、前記現判定出力と同じ入力に対しては応答し易く（現判定出力と異なる入力に対しては応答し難く）、前記保持ヒステリシスは、前記現判定出力を保持し易く（現判定出力と異なる出力に切り換わるのに対しては応答し難く）設定されている。
【０１１９】
また、フィールド毎に動画か或は静画かの識別をした動静判定出力は、前記フィールドが複数のブロックに分割されており、各フィールドの複数のブロックに対応して複数得られている。第１のプルダウン検出部６０は、フィールド動静パターンが複数の第１の比較パターンのいずれに一致したかを示す識別情報を出力し、第２のプルダウン検出部７０も、前記フィールド動静パターンが複数の第２の比較パターンのいずれに一致したかを示す識別情報を出力する。
【０１２０】
第１の種類と第２の種類のプルダウン方式検出部１２３、１３３からの出力は、選択ロジック部９０に入力され、この選択ロジック部９０から現在の入力信号の方式を認識した現判定出力が出力される。前記現判定出力は、動き適応型走査線変換部の倍速変換回路の入力を選択するスイッチの制御用として用いられる。前記フィールド差分情報を得る回路は、第１のフィールド遅延部１０２、第２のフィールド遅延部３０１と、第１のフィールド遅延部１０２の入力側と出力側の信号の差分信号を得る減算器１０５とを有する。
【図面の簡単な説明】
【０１２１】
【図１】この発明の一実施の形態を示すブロック図。
【図２】図１の一部をさらに詳しく示すブロック図。
【図３】図１の一部をさらに詳しく示すブロック図。
【図４】図３の一次判定部１２１の具体的構成例を示す回路図。
【図５】図３の一次判定部１３１の具体的構成例を示す回路図。
【図６】図３のプルダウン方式種類間ヒステリシス設定部８０の具体的構成例を示す回路図。
【図７】図３の2次判定部１２３の動作を説明するために示したフローチャート。
【図８】この発明のさらに別の実施の形態を示すブロック図。
【図９】この発明が適用されている走査線変換機構を持つ信号処理部を示す図。
【符号の説明】
【０１２２】
１０…フィールド差分情報取得部、２０…絶対値取得部、３０…動画画素取得部、４０…累積加算部、５０…フィールド動静パターン作成部、６０…２−３プルダウン検出部、７０…２−２プルダウン検出部、８０…プルダウン種類間ヒステリシス設定部、９０…選択ロジック部、１００…信号共通処理部。
【図１】
2005072863.tif 000003
【図２】
2005072863.tif 000004
【図３】
2005072863.tif 000005
【図４】
2005072863.tif 000006
【図５】
2005072863.tif 000007
【図６】
2005072863.tif 000008
【図７】
2005072863.tif 000009
【図８】
2005072863.tif 000010
【図９】
2005072863.tif 000011
【手続補正書】
【提出日】平成16年9月17日(2004.9.17)
【手続補正１】
【補正対象書類名】特許請求の範囲
【補正対象項目名】全文
【補正方法】変更
【補正の内容】
【特許請求の範囲】
【請求項１】
フィールド周波数を持つ映像信号を用いて、この映像信号の映像ソースが変換処理された時のプルダウン方式を識別する映像信号のテレシネ方式識別装置において、
フィールド毎に画像の相関の有り無しの識別をした相関識別出力を連続する複数フィールド分取得し、フィールド動静パターンとして出力する信号処理部と、
前記フィールド動静パターンと第１の比較パターンとを比較し、その比較結果から第１の種類のプルダウン方式の識別出力を得る第１のプルダウン識別部と、
前記フィールド動静パターンと第２の比較パターンとを比較し、その比較結果から第２の種類のプルダウン方式の識別出力を得る第２のプルダウン識別部とを有し、
前記フィールド動静パターンと、このフィールド動静パターンが比較される前記第１及び第２の比較パターンの各データ長が同一であり、且つ第１の種類のプルダウン方式に対する相関識別の出現パターンと、第２の種類のプルダウン方式に対する相関識別の出現パターンとは互いに排他的なパターン関係となるデータ長を有することを特徴とするテレシネ方式識別装置。
【請求項２】
前記第１の比較パターンは位相を回転した複数の第１比較パターン群を有し、
前記第２の比較パターンは位相を回転した複数の第２比較パターン群を有し、
前記第１のプルダウン識別部は、この複数の第１の比較パターン群に対して前記フィールド動静パターンを並列に比較する第１比較部と、このフィールド動静パターンがいずれかの位相の第１の比較パターンに一致したときに第１の種類のプルダウン方式の判定出力を得る第１出力部とを有し、
前記第２のプルダウン識別部は、前記第２の比較パターン群に対して前記フィールド動静パターンを並列に比較する第２比較部と、このフィールド動静パターンがいずれかの位相の第２の比較パターンに一致したときに第２の種類のプルダウン方式の判定出力を得る第２出力部とを有し、
前記フィールド動静パターンが前記第１、第２のプルダウン識別部に並列に同時に供給されることを特徴とする請求項１に記載のテレシネ方式識別装置。
【請求項３】
前記第１の比較部と前記第２の比較部は単位時間当たりの比較回数が同一に設定されていることを特徴とする請求項２に記載のテレシネ方式識別装置。
【請求項４】
前記第１の種類のプルダウン方式は２−３プルダウン方式であり、前記第２の種類のプルダウン方式は２−２プルダウン方式であり、
前記第１、第２の比較パターンは連続する複数ビットのパターンであり、そのデータ長は少なくとも６ビットに設定されていることを特徴とする請求項１〜３のうちのいずれかに記載のテレシネ方式識別装置。
【請求項５】
前記信号処理部は、
前記映像信号が供給される、フィールド差分情報を得るフィールド差分情報取得部と、
前記フィールド差分情報の絶対値を得る絶対値取得部と、
前記絶対値から、動画画素を判定して動画画素判定出力を出力する動画画素取得部と、
前記動画画素判定出力を１フィールド分累積する動画画素累積加算部と、
前記絶対値から、静止画画素を判定して静止画画素判定出力を出力する静止画画素取得部と、
前記静止画画素判定出力を１フィールド分累積する静止画画素累積加算部と、
前記静止画画素累積加算部の出力値が大きくなるにつれて、前記動画画素累積加算部からの出力の利得を大きくする利得可変手段と、
前記利得可変手段からの出力値と所定の閾値とを比較し、フィールド毎の画像判定出力を得、複数フィールド分の画像判定出力をパターン化して前記フィールド動静パターンを作成する作成部と、
を具備することを特徴とする請求項１〜４のうちのいずれかに記載のテレシネ方式識別装置。
【手続補正３】
【補正対象書類名】明細書
【補正対象項目名】００１８
【補正方法】変更
【補正の内容】
【００１８】
上記の目的を達成するために、本発明の一態様に係るテレシネ方式識別装置は、フィールド周波数を持つ映像信号を用いて、この映像信号の映像ソースが変換処理された時のプルダウン方式を識別する映像信号のテレシネ方式識別装置において、フィールド毎に画像の相関の有り無しの識別をした相関識別出力を連続する複数フィールド分取得し、フィールド動静パターンとして出力する信号処理部と、前記フィールド動静パターンと第１の比較パターンとを比較し、その比較結果から第１の種類のプルダウン方式の識別出力を得る第１のプルダウン識別部と、前記フィールド動静パターンと第２の比較パターンとを比較し、その比較結果から第２の種類のプルダウン方式の識別出力を得る第２のプルダウン識別部とを有し、前記フィールド動静パターンと、このフィールド動静パターンが比較される前記第１及び第２の比較パターンの各データ長が同一であり、且つ第１の種類のプルダウン方式に対する相関識別の出現パターンと、第２の種類のプルダウン方式に対する相関識別の出現パターンとは互いに排他的なパターン関係となるデータ長を有することを特徴とするものである。
【手続補正４】
【補正対象書類名】明細書
【補正対象項目名】００６０
【補正方法】変更
【補正の内容】
【００６０】
直前の２−３プルダウン方式の2次判定が“１”である（つまり２−３プルダウン方式判定状態）場合は、保持ヒステリシスを与える動作をする。現在の２−３プルダウン方式１次判定が“０” （つまり２−３プルダウン方式非判定状態）であるかどうか判定される（ステップS１、S2）。ここで現在の２−３プルダウン方式１次判定が“１”であれば、直前と変わりないことであり、終了となる。逆に現在の２−３プルダウン方式１次判定が“０”であれば、２−３プルダウン判定から離脱する可能性があることである。このときはステップS３に移行し、1次判定フラグを受け、パターン不一致回数をインクリメントする。次にステップS4に移行し、不一致回数が保持回数閾値を超えているかどうかを判定する。保持回数閾値を超えていない場合は、不一致回数の値を保持して、一旦終了して、スタート状態に戻る。ステップS4で不一致回数が閾値を超えた場合は、２−３プルダウンではない可能性が高いことであり、２次判定出力を“０”（２−３プルダウン方式判定状態を解除）に変更する。
【手続補正５】
【補正対象書類名】明細書
【補正対象項目名】００９１
【補正方法】変更
【補正の内容】
【００９１】
フィールド内補間走査線生成回路３１１、フィールド間補間走査線生成回路３１３の出力は、混合回路３１４において、動き検出回路３０２からの動き検出信号の大きさに応じて、混合割合が制御されて混合される。動画領域では、フィールド内補間走査線生成回路３１１の出力の混合割合が多くなり、静止画領域では、フィールド間補間走査線生成回路３１３の出力の混合割合が多くなる。混合回路３１４の出力は、倍速変換回路３１５に入力される。倍速変換回路３１５は、フィールド遅延部１０２の出力の信号と、混合回路３１４からの信号の水平走査周波数を倍速にし、両者をインターリーブし、プログレッシブのビデオ信号を生成して出力する。
【手続補正６】
【補正対象書類名】図面
【補正対象項目名】図７
【補正方法】変更
【補正の内容】
【図７】
2005072863.tif 000012